(57)【要約】【課題】キャビネット内の熱をスピーカにより効率的に放熱することができ、キャビネット内の自然対流による放熱性を高めることができる表示装置を提供する。【解決手段】前側に表示面１ａを有する表示部１の後側を隠蔽するキャビネット３と、ボイスコイル２２及び該ボイスコイル２２により振動する振動板２３を有し、キャビネット３内における表示部１の下側に配されるスピーカ２とを備え、該スピーカ２の振動板２３をボイスコイル２２の下側に配し、振動板２３及びボイスコイル２２の周りと該ボイスコイル２２の上側とを隠蔽するカバー２５を設け、該カバー２５の上部に貫通孔２６を開設することにより、ボイスコイル２２が発熱した熱をカバー２５の貫通孔２６から上昇させ、振動板２３の振動にてカバー２５内の空気流を貫通孔２６へ加速させ、貫通孔２６での上昇気流を促進するようにした。【選択図】図１
2010239249.tif 000002
【特許請求の範囲】
【請求項１】
前側に表示面を有する表示部と、該表示部の後側を隠蔽するキャビネットと、ボイスコイル及び該ボイスコイルにより振動する振動部を有し、前記キャビネット内の下部に配されるスピーカとを備える表示装置において、前記スピーカは、前記振動部を前記ボイスコイルの下側に配してあり、前記振動部及びボイスコイルの周りと該ボイスコイルの上側とを隠蔽するカバーを有し、該カバーの上部に貫通孔を開設してあることを特徴とする表示装置。
【請求項２】
前記カバーは、該カバー内の空気を前記貫通孔へ導く導気部を有する請求項１記載の表示装置。
【請求項３】
前記表示部の後側の面と前記キャビネットとの間に、該キャビネット内の空気を自然対流させるための通気路を有し、該通気路の下側に前記スピーカを配してある請求項１又は２記載の表示装置。
【請求項４】
前記表示部の後側に該表示部を動作させる回路基板を有し、該回路基板と前記キャビネットとの間に、該キャビネット内の空気を自然対流させるための通気路を有し、前記回路基板の下側に前記スピーカを配してある請求項１又は２記載の表示装置。
【請求項５】
前記カバーは前記キャビネットに対し前方へ離隔し、前記キャビネットは前記カバーの周面と対向する箇所に吸気口を有する請求項１から４のいずれか一つに記載の表示装置。
【請求項６】
前記貫通孔から前記カバーの外部へ排気された空気を前記貫通孔の上方へ導く導気壁を前記通気路内に配してある請求項３から５のいずれか一つに記載の表示装置。
【請求項７】
前記スピーカは、可聴範囲外の周波数にて前記振動部を振動させるように構成してある請求項１から６のいずれか一つに記載の表示装置。
【請求項８】
前記通気路内の温度を検出する温度センサを備え、該温度センサが所定温度を検出したとき前記スピーカの振動部を可聴範囲外の周波数にて振動させるように構成してある請求項７記載の表示装置。
【請求項９】
前記スピーカはコンデンサを有する音源回路に接続され、前記温度センサが所定温度を検出したとき前記コンデンサに蓄えられた電荷の放電により前記振動部を振動させるように構成してある請求項８記載の表示装置。
【請求項１０】
前記温度センサはサーモスタットである請求項９記載の表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビジョン等の薄型の表示装置は、映像を表示する表示面を前側に有する表示部と、該表示部の後側に取付けてある回路基板と、前記表示部の後側を隠蔽するキャビネットと、ボイスコイル及び該ボイスコイルにより振動する振動部を有し、前記キャビネット内における前記表示部の横側に配されたスピーカとを備えている（例えば、特許文献１参照）。スピーカは、ボイスコイルの前側に振動部を配してある。キャビネット内のスピーカと前後に対向する箇所には、上下に対向するリブ壁及び排気孔を設けてあり、回路基板に実装されているヒートシンクの一部を前記リブ壁の間に配してあり、スピーカの振動部の振動により生じる空気を前記リブ壁の間の通気路へ導気し、前記排気孔からキャビネットの外部へ排気することにより、ヒートシンクからの発熱を促進するように構成されている。
【０００３】
また、上下両端にバスレフポートを有し、角筒形をなすスピーカボックスの上下中央部内側にスピーカユニットを配し、スピーカボックス内の下部に、発熱部品及び該発熱部品を放熱するための放熱器を配し、該放熱器によりスピーカボックス内の空気が熱せられることにより生じる自然対流と、スピーカユニットからの音声出力により生じる空気の流れとにより、効率的に放熱するように構成された放熱機構も知られている（例えば、特許文献２参照）。
【先行技術文献】
【特許文献】
【０００４】
【特許文献１】特開２００８−２９４６１５号公報
【特許文献２】特開２００４−２７４３８３号公報
【発明の概要】
【発明が解決しようとする課題】
【０００５】
薄型液晶テレビジョン、薄型プラズマテレビジョンは年々大形化され、且つ前後厚さが薄くなっており、薄型液晶テレビジョンにあっては、表示部の後側に光源用の複数の蛍光管、インバータ回路基板、電源回路基板、信号処理回路基板等の複数の熱発生源が設けられており、この熱発生源が発生する熱により誤動作するのを防ぐため、放熱板、放熱シート等の放熱部材を設けて熱の集中を防ぐように構成されている。しかし、放熱部材による放熱では、部品点数が増加するし、また、放熱の効率も悪く、改善策が要望されていた。
【０００６】
この改善策として、特許文献１のようにキャビネットにリブ壁及び排気孔を設けて、スピーカの振動部により生じた空気をリブ壁にて導気し、排気孔から後方へ放熱すること、又は、特許文献２の放熱機構を有するスピーカを採用することが考えられる。
【０００７】
しかし、この対策にあっても、キャビネット内の熱を効率的に放熱するのが困難であり、また、特許文献２の放熱機構を有するスピーカを採用した表示装置にあっては、発熱部品及び放熱器が余計に必要であるため、部品点数が増加するし、スピーカ部分の上下長さが比較的長くなるという問題があった。
【０００８】
本発明は斯かる事情に鑑みてなされたものであり、スピーカのボイスコイルは発熱すること、及びスピーカの振動部が振動することにより空気流が生じることに着目し、ボイスコイルの下側に振動部を配したスピーカとすることにより、ボイスコイルが発熱した熱にて上昇気流を生じさせ、さらに、ボイスコイル及び振動部の周りとボイスコイルの上側とを隠蔽するカバーを設け、該カバーの上部に貫通孔を開設することにより、上昇気流を貫通孔に集中して生じさせるとともに、振動部の振動にてカバー内の空気流を貫通孔へ加速させ、上昇気流を促進することにより、キャビネット内の自然対流による放熱性を高めることができるようにしたものである。
即ち、本発明の主たる目的はキャビネット内の熱をスピーカにより効率的に放熱することができる表示装置を提供することにある。
【課題を解決するための手段】
【０００９】
本発明に係る表示装置は、前側に表示面を有する表示部と、該表示部の後側を隠蔽するキャビネットと、ボイスコイル及び該ボイスコイルにより振動する振動部を有し、前記キャビネット内の下部に配されるスピーカとを備える表示装置において、前記スピーカは、前記振動部を前記ボイスコイルの下側に配してあり、前記振動部及びボイスコイルの周りと該ボイスコイルの上側とを隠蔽するカバーを有し、該カバーの上部に貫通孔を開設してあることを特徴とする。
【００１０】
この発明にあっては、スピーカの振動部がボイスコイルの下側にあり、しかも上部に貫通孔を開設してあるカバーを備えるため、ボイスコイルが発熱した熱を振動部に邪魔されることなくカバー内で上昇させ、該カバーの貫通孔に集中する上昇気流を生じさせることができるとともに、振動部の振動にてカバー内の空気流を貫通孔へ加速させ、貫通孔での上昇気流を促進することができる。因って、キャビネット内の下部に配されているスピーカにより、キャビネット内の自然対流を促進することができ、キャビネット内の自然対流による放熱性を高めることができる。
【００１１】
また、本発明に係る表示装置は、前記カバーは、該カバー内の空気を前記貫通孔へ導く導気部を有する構成とするのが好ましい。
この発明にあっては、カバー内で上昇する空気流を導気部にて貫通孔へ導気することができるため、カバー内の空気抵抗を低減でき、カバー内の空気流を貫通孔へより一層加速させることができ、貫通孔での上昇気流をより一層促進することができる。
【００１２】
また、本発明に係る表示装置は、前記表示部の後側の面と前記キャビネットとの間に、該キャビネット内の空気を自然対流させるための通気路を有し、該通気路の下側に前記スピーカを配してある構成とするのが好ましい。
この発明にあっては、スピーカにおけるカバーの貫通孔から上昇する上昇気流を、キャビネット内の通気路を上昇させることができるため、キャビネット内の自然対流を効率よく促進することができ、キャビネット内の自然対流による放熱性を高めることができる。
【００１３】
また、本発明に係る表示装置は、前記表示部の後側に該表示部を動作させる回路基板を有し、該回路基板と前記キャビネットとの間に、該キャビネット内の空気を自然対流させるための通気路を有し、前記回路基板の下側に前記スピーカを配してある構成とするのが好ましい。
この発明にあっては、スピーカにおけるカバーの貫通孔から上昇する上昇気流を、キャビネット内の回路基板の周りを上昇させることができるため、回路基板等の発熱により生じるキャビネット内の自然対流を効率よく促進することができ、回路基板周りの自然対流による放熱性を高めることができる。
【００１４】
また、本発明に係る表示装置は、前記カバーは前記キャビネットに対し前方へ離隔し、前記キャビネットは前記カバーの周面と対向する箇所に吸気口を有する構成とするのが好ましい。 
この発明にあっては、スピーカにおけるカバーの貫通孔から上昇気流が上昇するとき、カバーの周面と対向する箇所に開設されている吸気口での吸気を促進することができ、キャビネット内への吸気量を増やすことができるため、キャビネット内の自然対流を促進することができ、キャビネット内の自然対流による放熱性を高めることができる。
【００１５】
また、本発明に係る表示装置は、前記貫通孔から前記カバーの外部へ排気された空気を前記貫通孔の上方へ導く導気壁を前記通気路に配してある構成とするのが好ましい。
この発明にあっては、スピーカにおけるカバーの貫通孔から上昇する上昇気流を、導気壁にてキャビネット内の通気路へ導気することができるため、キャビネット内の自然対流を促進することができ、キャビネット内の自然対流による放熱性を高めることができる。
【００１６】
また、本発明に係る表示装置は、前記スピーカは、可聴範囲外の周波数にて前記振動部を振動させるように構成するのが好ましい。
この発明にあっては、電源スイッチがオンの状態で可聴範囲外の低音、無音又は高温の時間帯にスピーカの振動部を振動させることができるため、例えば、電源スイッチがオンになり、表示部に映像が表示されるまでの無音のとき、又はチャンネルの切換えにより無音になったとき、最小可聴値よりも小さい周波数の音声信号または最大可聴値よりも大きい周波数の音声信号をボイスコイルに与えることができ、また、可聴されている間に低音の音声信号をボイスコイルに与えることができる。因って、スピーカによるキャビネット内の自然対流をより一層効率よく促進することができ、キャビネット内の自然対流による放熱性を高めることができる。
【００１７】
また、本発明に係る表示装置は、前記通気路内の温度を検出する温度センサを備え、該温度センサが所定温度を検出したとき前記スピーカの振動部を可聴範囲外の周波数にて振動させるように構成してあるのが好ましい。
この発明にあっては、電源スイッチがオンの状態でキャビネット内の通気路の温度が所定温度以上に上昇したとき、低音の電気信号をボイスコイルに与えることができるため、スピーカによるキャビネット内の自然対流をより一層効率よく促進することができ、キャビネット内の自然対流による放熱性を高めることができる。
【００１８】
また、本発明に係る表示装置は、前記スピーカはコンデンサを有する音源回路に接続され、前記温度センサが所定温度を検出したとき前記コンデンサに蓄えられた電荷の放電により前記振動部を振動させるように構成してあるのが好ましい。
この発明にあっては、キャビネット内の温度が所定値以上に昇温している状態で電源スイッチがオフになったとき、コンデンサにて電荷を放電し、可聴範囲を外れた低音の電気信号をボイスコイルに与え、振動部を振動させることができるため、カバーの貫通孔から上昇気流を上昇させ、電源スイッチがオンになるまでの間にキャビネット内の温度を下げることができる。
【００１９】
また、本発明に係る表示装置は、前記温度センサがサーモスタットである構成とするのが好ましい。
この発明にあっては、キャビネット内の温度が所定値以上に昇温している状態で電源スイッチがオフになったとき、サーモスタットにてコンデンサに通電させ、該コンデンサが電荷を放電し、可聴範囲を外れた低音の電気信号をボイスコイルに与え、振動部を振動させることができるため、カバーの貫通孔から上昇気流を上昇させ、電源スイッチがオンになるまでの間にキャビネット内の温度を下げることができる。
【発明の効果】
【００２０】
本発明によれば、キャビネット内における表示部の下側に配されているスピーカにおけるカバーの貫通孔から上昇気流を上昇させることができるため、該上昇気流にてキャビネット内の自然対流を促進することができ、キャビネット内の自然対流による放熱性を高めることができる。
【図面の簡単な説明】
【００２１】
【図１】本発明に係る表示装置の構成を示す縦断側面図である。
【図２】本発明に係る表示装置の構成を示す背面側斜視図である。
【図３】図２のIII−III線断面図である。
【図４】本発明に係る表示装置のスピーカの構成を示す斜視図である。
【図５】本発明に係る表示装置のスピーカの構成を示す底面図である。
【図６】本発明に係る表示装置のスピーカの構成を示す平面図である。
【図７】図５のVII −VII 線拡大断面図である。
【図８】図５のVIII−VIII線拡大断面図である。
【図９】本発明に係る表示装置の他の構成を示す縦断側面図である。
【図１０】本発明に係る表示装置の他の構成を示す横断平面図である。
【発明を実施するための形態】
【００２２】
以下本発明をその実施の形態を示す図面に基づいて詳述する。
実施の形態１
図１は本発明に係る表示装置の構成を示す縦断側面図、図２は表示装置の構成を示す背面側斜視図、図３は図２のIII−III線断面図である。
【００２３】
図示した表示装置はテレビ画像等を表示する表示面１ａを前側に有し、略直方形をなす表示部１と、該表示部１の下側の両側部に装着され、音波を下方へ放射する二つのスピーカ２，２と、表示部１の周縁部及び後側を隠蔽するキャビネット３とを備える薄型の液晶テレビジョンである。
【００２４】
表示部１は前側に表示面１ａを有する液晶のパネル１１と、該パネル１１の後側に配置された拡散板等の光学シート１２と、表示部１及び光学シート１２を支持するバックライト部１３と、該バックライト部１３の後面に装着された電源回路基板等の表示部１を動作させる複数の回路基板１４とを備える。
【００２５】
バックライト部１３は、光学シート１２の後側に上下に並置され、該光学シート１２側へ光を照射する複数本のランプ１３ａと、該ランプ１３ａを収容支持し、箱形をなすシャーシ１３ｂとを備える。ランプ１３ａは両端部に電極を有する冷陰極管であり、夫々のランプ１３ａの両端部の電極にインバータ回路基板が接続され、パルス幅変調信号により明るさが制御されるように構成されている。
【００２６】
シャーシ１３ｂは略直方体をなし、金属板を成形してなる枠部１３ｃと、該枠部１３ｃの後側端を閉塞し、金属板を成形してなる蓋板部１３ｄとを有し、該蓋板部１３ｄが表示部１の後側の面１ｂになっており、該後側の面１ｂの両側部には前記インバータ回路基板が取付けられている。
【００２７】
後側の面１ｂの中央側には、パネル１１の駆動及び制御を行う制御回路基板と、パネル１１に表示する映像信号及び音声信号を処理させる処理回路基板と、処理回路基板に電源を供給する電源回路基板と、外部機器との間でケーブル等の導線が接続／切離される複数の端子を実装してある端子回路基板と、前記制御回路基板、処理回路基板、電源回路基板及び端子回路基板を一面に並べて取付けてある基板支持板１５とを備える。
【００２８】
キャビネット３は、表示面１ａに対応する箇所が開放され、表示部１の前側周縁部及びスピーカ２の前部を隠蔽するキャビネット前分体３１と、表示部１及びスピーカ２の周縁部より後側を隠蔽するキャビネット後分体３２とを備え、このキャビネット前分体３１及びキャビネット後分体３２が、キャビネット後分体３２の前端部がキャビネット前分体３１の後端部内側に重合するようにシャーシ１３ｂに取外し可能に取付けられている。
【００２９】
キャビネット前分体３１の下部で、両側部後側には横方向へ離隔する二つのボスが突設され、該ボスにスピーカ２が雄螺子にて取付けられている。
【００３０】
キャビネット後分体３２は、後壁３２ａ及び該後壁３２ａの周縁に連なる枠部３２ｂを有する深皿形をなしている。枠部３２ｂの下壁には複数の吸気孔３３が開設され、枠部３２ｂの上壁には放熱を兼ねる複数の排気孔３４が開設されている。また、枠部３２ｂの下壁で、スピーカ２と上下に対向する箇所には上下に貫通する複数の放音孔３５が開設され、該放音孔３５の近傍にも吸気孔３３が開設されている。
【００３１】
後壁３２ａの下部は後方へ膨出する膨出部３２ｃが設けられており、該膨出部３２ｃの前側にスピーカ２を配してあり、また、膨出部３２ｃのスピーカ２と前後に対向する箇所には複数の吸気孔３６が開設されている。
【００３２】
キャビネット後分体３２の後壁３２ａとバックライト部１３、換言するとシャーシ１３ｂとの間には自然対流用の通気路Ａが設けられており、この通気路Ａに配されている回路基板１４の下方にスピーカ２を配してある。
【００３３】
図４はスピーカの構成を示す斜視図、図５はスピーカの構成を示す底面図、図６はスピーカの構成を示す平面図、図７は図５のVII −VII 線拡大断面図、図８は図５のVIII−VIII線拡大断面図である。
【００３４】
スピーカ２は、磁気回路形成部２１と、該磁気回路形成部２１が形成した磁気回路の環状の空隙に配され、音声信号が与えられることにより振動するボイスコイル２２と、該ボイスコイル２２の下側に配され、ボイスコイル２２により振動する振動部としての振動板２３と、筒形をなし、磁気回路形成部２１及び振動板２３を保持する保持ケース２４と、該保持ケース２４が収容され、キャビネット前分体３１の前記ボスに取付けられるカバー２５とを備える。
【００３５】
磁気回路形成部２１は、円板部２１ａの中央に円柱部２１ｂを有するヨークと、該ヨークの円柱部２１ｂに挿嵌支持される環状３のマグネット２１ｃと、該マグネット２１ｃを円板部２１ａとの間で挟み込む磁性環板２１ｄとを備え、該磁性環板２１ｄが保持ケース２４の中央部に取付けられており、磁性環板２１ｄと円柱部２１ｂとの間の環状の空隙にボイスコイル２２が保持されている。
【００３６】
ボイスコイル２２はボビンに巻回されており、また、保持ケース２４に取付けられた端子に導線により接続されている。
【００３７】
振動板２３はボイスコイル２２側が小形に形成された長円のコーン形をなし、小形部が磁気回路形成部２１と対向し、大形縁部が保持ケース２４に結合されている。
【００３８】
保持ケース２４は、ボイスコイル２２側が小形に形成された長円のコーン形をなし、小形孔部に磁気回路形成部２１を保持し、大形孔部に振動板２３を保持している。保持ケース２４の小形孔部及び大形孔部の間のテーパ部分には通気孔２４ａが開設されている。
【００３９】
カバー２５は、振動板２３側の周りを隠蔽するカバー下分体２５ａと、磁気回路形成部２１側の周りを隠蔽するカバー上分体２５ｂとを有する。カバー下分体２５ａは略長円の角筒形をなし、振動板２３と対向する下側に開放孔２５ｃが設けられ、長さ方向両側にフランジ２５ｄ，２５ｄが突設され、該フランジ２５ｄ，２５ｄがキャビネット前分体３１の前記ボスに取付けられるように構成されている。
【００４０】
カバー上分体２５ｂは、略長円の角筒形をなす大形の角筒部２５ｅと、該角筒部２５ｅの上縁に段部を経て連なる小形の蓋筒部２５ｆとを有し、該蓋筒部２５ｆの上壁に、上下に貫通する長孔状の貫通孔２６が開設されている。貫通孔２６は二つの隔壁にて隔離されているが、その他、隔壁がない孔であってもよい。
【００４１】
貫通孔２６はボイスコイル２２の中心に対して前側へ偏倚しており、蓋筒部２５ｆはカバー２５内の空気を貫通孔２６へ導気する導気部２５ｇを有する。導気部２５ｇは、蓋筒部２５ｆの下縁後側及び貫通孔２６の間の壁部が二つの段部を経て貫通孔２６側（前側）へ段階的に偏倚しているが、その他、蓋筒部２５ｆの下縁後側から貫通孔２６にかけて直線状又は湾曲状に偏倚する形状であってもよい。
【００４２】
以上のように構成された表示装置のスピーカ２は、図１に示すように振動板２３がボイスコイル２２の下側に配され、該振動板２３が下向きの状態でキャビネット後分体３２内における回路基板１４の下側で、表示部１の下端部及び膨出部３２ｃの間に配される。スピーカ２におけるカバー下分体２５ａの開放孔２５ｃは放音孔３５と対向し、貫通孔２６は通気路Ａと鉛直に連通し、膨出部３２ｃの吸気孔３６はカバー２５の後壁と前後に離隔して対向している。尚、スピーカ２は発熱量の大きな電子部品が実装されている回路基板１４の下側に配するのが好ましい。
【００４３】
電源スイッチにて電源回路基板等の回路基板１４に通電され、表示部１に映像が表示されるとき、スピーカ２のボイスコイル２２に音声信号が与えられ、該ボイスコイル２２が振動し、該ボイスコイル２２に連なる振動板２３が振動し、カバー下分体２５ａの開放孔２５ｃ及び放音孔３５から下方へ音波が放射される。
【００４４】
映像の表示に伴い、インバータ回路基板等の回路基板１４周りの、通気路Ａ内の空気が加熱され、通気路Ａに自然対流が生じ、通気路Ａ内の加熱されている空気は上側の排気孔３４から外部へ排気され、外部の空気が下側の吸気孔３３からキャビネット後分体３２内へ吸気され、通気路Ａ内を上昇する。
【００４５】
音波が放射されるとき、振動板２３は上下に振動し、この振動にて保持ケース２４内の空気が流動し、該保持ケース２４内の空気が通気孔２４ａからカバー２５内へ上昇する。
【００４６】
音波の放射に伴い、ボイスコイル２２が発熱し、カバー２５内のボイスコイル２２周りの空気が加熱され、カバー２５内に上昇気流が生じ、貫通孔２６から通気路Ａへ排気される。
【００４７】
カバー２５の上壁には貫通孔２６が開設され、該貫通孔２６へ導気する導気部２５ｇがカバー２５に設けられているため、ボイスコイル２２が発熱した熱を振動板２３に邪魔されることなくカバー２５内で上昇させ、貫通孔２６に集中する上昇気流を生じさせることができるとともに、振動板２３の振動にてカバー２５内の空気流を貫通孔２６へ加速させることができ、貫通孔２６での上昇気流、及び通気路Ａでの上昇気流を促進することができる。この上昇気流により通気路Ａの回路基板１４周りの自然対流を促進することができ、キャビネット３内の自然対流による放熱性を高めることができる。
【００４８】
また、カバー２５の貫通孔２６から上昇気流が上昇すると、貫通孔２６の外周りが低圧となり、膨出部３２ｃの吸気孔３６からキャビネット後分体３２内へ外気が吸引され、吸気口３３での吸気を促進することができ、キャビネット後分体３２内への吸気量を増やすことができるため、通気路Ａの自然対流をより一層促進することができ、キャビネット後分体３２内の自然対流による放熱性をより一層高めることができる。
【００４９】
実施の形態２
図９は表示装置の他の構成を示す縦断側面図、図１０は横断平面図である。この表示装置は、スピーカ２における貫通孔２６からカバー２５外部の通気路Ａへ排気された空気を貫通孔２６の上方へ導気する二つの導気壁４，４をスピーカ２に対応して通気路Ａ内に設けたものである。
【００５０】
導気壁４，４はキャビネット後分体３２と一体に成形され、横方向に離隔して対向し、上下方向に配されている。
【００５１】
この表示装置にあっては、スピーカ２におけるカバー２５の貫通孔２６から上昇する上昇気流を、導気壁４，４にて排気孔３４へ導気することができるため、通気路Ａの自然対流を効率よく促進することができ、キャビネット後分体３２内の自然対流による放熱性を高めることができる。
その他の構成及び作用は実施の形態１と同様であるため、同様の部品については同じ符号を付し、その詳細な説明及び作用効果の説明を省略する。
【００５２】
実施の形態３
この表示装置は、スピーカ２のボイスコイル２２に、可聴範囲（１６Hz〜２０kHz ）外の電気信号、換言すると最低可聴周波数よりも低い周波数の電気信号、又は、最高可聴周波数よりも高い周波数の電気信号をボイスコイル２２に与え、音波が放射されていないとき、振動板２３を振動させ、保持ケース２４内の空気を流動させ、カバー２５内に上昇気流を生じさせるように構成したものである。
【００５３】
この表示装置にあっては、例えば、電源スイッチがオンになり、表示部１に映像が表示されるまでの無音のとき、又はチャンネルの切換えにより無音の状態になったとき、最低可聴周波数よりも低い周波数の電気信号または最高可聴周波数よりも高い周波数の電気信号がボイスコイル２２に与えられ、振動板２３を振動させることができるため、音波が放射されていない時間に通気路Ａの自然対流を促進することができ、キャビネット後分体３２内の自然対流による放熱性を高めることができる。
その他の構成及び作用は実施の形態１と同様であるため、同様の部品については同じ符号を付し、その詳細な説明及び作用効果の説明を省略する。
【００５４】
実施の形態４
この表示装置は、スピーカ２のボイスコイル２２に、回路基板１４に設けた主音源回路と副音源回路とを接続し、主音源回路にて音声信号をボイスコイル２２に与え、副音源回路にて可聴範囲を外れた周波数の電気信号をボイスコイル２２に与え、視聴されているとき、可聴範囲を外れた低音を重畳するように構成したものである。
【００５５】
この表示装置にあっては、例えば、電源スイッチがオンで、主音源回路にて音声信号がボイスコイル２２に与えられ、音波が放射され、視聴されている間に、副音源回路にて超低音の電気信号がボイスコイル２２に与えられ、振動板２３を重畳して振動させることができるため、スピーカによる通気路Ａの自然対流を促進することができ、キャビネット後分体３２内の自然対流による放熱性を高めることができる。
その他の構成及び作用は実施の形態１と同様であるため、同様の部品については同じ符号を付し、その詳細な説明及び作用効果の説明を省略する。
【００５６】
実施の形態５
この表示装置は、図１に示すようにキャビネット３内の温度を検出するサーモスタット等の温度センサ５をシャーシ１３ｂ、回路基板１４又はキャビネット後分体３２の内側のいずれかに設け、スピーカ２のボイスコイル２２に、回路基板１４に設けた主音源回路と副音源回路とを接続し、キャビネット３内の通気路Ａの温度が所定温度以上に上昇したのを温度センサ５にて検出し、副音源回路にて電気信号をボイスコイル２２に与え、可聴範囲を外れた超低音を重畳するように構成したものである。
【００５７】
この表示装置にあっては、例えば、比較的長時間に亘って表示部１に映像が表示され、キャビネット３内の通気路Ａの温度が所定温度以上に上昇したとき、可聴範囲を外れた超低音の電気信号がボイスコイル２２に与えられ、振動板２３を重畳して振動させることができるため、通気路Ａの自然対流を促進することができ、キャビネット後分体３２内の自然対流による放熱性を高めることができる。
その他の構成及び作用は実施の形態１と同様であるため、同様の部品については同じ符号を付し、その詳細な説明及び作用効果の説明を省略する。
【００５８】
実施の形態６
この表示装置は、キャビネット内の温度を検出するサーモスタット（図１の温度センサ５）をシャーシ１３ｂ、回路基板１４又はキャビネット後分体３２の内側のいずれかに設け、スピーカ２のボイスコイル２２に、回路基板１４に設けた主音源回路と、コンデンサを有する副音源回路とを接続し、電源スイッチがオンのとき、主音源回路にて音声信号をボイスコイル２２に与え、キャビネット３内の通気路Ａの温度が所定温度以上に上昇している状態で電源スイッチがオフになったとき、副音源回路がコンデンサを電源として可聴範囲を外れた超低音の電気信号をボイスコイル２２に与え、振動板２３を振動させるように構成したものである。副音源回路のコンデンサは、電源スイッチがオンのときに充電される。
【００５９】
この表示装置にあっては、例えば、比較的長時間に亘って表示部１に映像が表示され、キャビネット３内の通気路Ａの温度が所定温度以上に上昇してサーモスタットがオンの状態で、電源スイッチがオフになったとき、コンデンサが放電して副音源回路が作動し、可聴範囲を外れた超低音の周波数の電気信号が副音源回路からボイスコイル２２に与えられ、振動板２３を振動させることができるため、電源スイッチがオフの時間に通気路Ａの自然対流を促進することができ、キャビネット後分体３２内の自然対流による放熱性を高めることができる。
その他の構成及び作用は実施の形態１と同様であるため、同様の部品については同じ符号を付し、その詳細な説明及び作用効果の説明を省略する。
【００６０】
尚、以上説明した実施の形態では二つのスピーカ２，２を備える構成としたが、その他、一つのスピーカ２を備える構成であってもよい。
【００６１】
また、以上説明した実施の形態では、ボイスコイル２２の下側に振動板２３を鉛直に配し、下方へ放音するように構成したが、その他、振動板２３は鉛直に対して横方向へ偏倚した構成とし、下方へ放音するようにしてもよい。
【００６２】
また、以上説明した実施の形態では、回路基板１４の下側にスピーカ２を配したが、その他、スピーカ２の配置箇所は特に制限されない。
【符号の説明】
【００６３】
Ａ    通気路
１    表示部
１ａ  表示面
１４  回路基板
２    スピーカ
２２  ボイスコイル
２３  振動板（振動部）
２５  カバー
２５ｇ  導気部
２６  貫通孔
３    キャビネット
３６  吸気口
４    導気壁
５    温度センサ、サーモスタット
【図１】
2010239249.tif 000003
【図２】
2010239249.tif 000004
【図３】
2010239249.tif 000005
【図４】
2010239249.tif 000006
【図５】
2010239249.tif 000007
【図６】
2010239249.tif 000008
【図７】
2010239249.tif 000009
【図８】
2010239249.tif 000010
【図９】
2010239249.tif 000011
【図１０】
2010239249.tif 000012